(57)【要約】【課題】端子台カバーを外装部材に取り付けた状態で端子台への配線工事を行えるようにすることにより、配線工事の作業性向上を図ったガスメータを提供する。【解決手段】流路部材などを収容する外装部材４の正面ケース４３には、端子台８を露出する端子台開口部４３Ｇが設けられている。端子台カバー５がこの端子台８を覆う。この端子台カバー５の左右方向一方側の縁部に上下方向に沿った軸部が設けられ、正面ケース４３に軸部に対して回転自在に係止する係止突部が設けられている。また、端子台カバー５の左右方向他方側の縁部及び正面ケース４３にそれぞれ互いに係止する係止突部４３Ｌ、５６が設けられて、端子台カバー５が軸部を中心とした左右開きになっている。【選択図】図１
2014037968.tif 000002
【特許請求の範囲】
【請求項１】
流路部材と、外部ラインが接続される端子台と、前記流路部材及び前記端子台を収容し、前記端子台の正面を露出する端子台開口部が設けられた外装部材と、前記外装部材に取り付けられ、前記端子台の正面を覆う端子台カバーと、を備えたガスメータにおいて、
前記端子台カバーの一つの縁部又は前記外装部材の前記一つの縁部に対向する部分のうち一方に前記一つの縁部に沿った軸部が設けられ、
前記端子台カバーの一つの縁部又は前記外装部材の前記一つの縁部に対向する部分のうち他方に前記軸部に対して回転自在に係止する第１係止部が設けられ、
前記端子台カバーの他の縁部及び前記外装部材の前記他の縁部に対向する部分にそれぞれ互いに係止する第２係止部が設けられている
ことを特徴とするガスメータ。
【請求項２】
前記軸部が前記端子台カバーに設けられている
ことを特徴とする請求項１に記載のガスメータ。
【請求項３】
前記流路部材が、金属製であり、ガス配管に接続されるガス流入口及びガス流出口が設けられ、
前記外装部材が、樹脂製であり、前記ガス流入口及び前記ガス流出口を外部に突出させるための開口部が設けられ、
前記端子台カバーが、樹脂製である
ことを特徴とする請求項１又は２に記載のガスメータ。
【発明の詳細な説明】
【技術分野】
【０００１】
本発明は、ガスメータに係り、特に、流路部材を収容する外装部材に取り付けられ、端子台の正面を覆う端子台カバーを有するガスメータに関するものである。
【背景技術】
【０００２】
上述したガスメータとして例えば図５に示されたものが提案されている。同図に示すように、ガスメータ１００は、ガスが流れる流路部材と、流路部材に流れるガスの流量を計測するための流量計測部と、流量計測部を制御するマイコン制御部と、マイコン制御部などの電子部品が搭載された基板と（何れも図示せず）、が外装部材１０１内に収容されている。外装部材１０１は、金属製であり、その上面に上流側のガス配管に接続される筒状のガス流入口１０１Ａと、下流側のガス配管に接続される筒状のガス流出口１０１Ｂが突設されている。
【０００３】
また、図示しない基板には、外部の機器と接続するための端子台１０２がさらに搭載されている。この端子台１０２としては、例えば、ガスメータの情報を電話回線を通じてガス事業者のセンタ設備に伝えるための通信端子や、ガス漏れ警報器の作業状況と連動してガスメータの遮断を行うための警報器端子などから構成されている。
【０００４】
この端子台１０２は、外装部材１０１の正面に設けた端子台開口部１０１Ｃから露出されるように設けられていて、電話回線やガス漏れ警報器との接続線などの外部ラインと接続できるようになっている。また、この端子台１０２は、端子台開口部１０１Ｃから外装部材１０１内への水などの浸入を防ぐため普段は金属製の端子台カバー１０３により覆われている。
【０００５】
ガスメータ１００の設置工事の際は、端子台１０２への配線工事を実施するため、上記端子台カバー１０３を外している。この端子台カバー１０３は、一般的に複数のネジで締結されているため、ドライバーでネジを外してから端子台カバー１０３を外し、作業中はどこかに保管しておき、作業終了後は端子台カバー１０３をネジ締結で元に戻す必要があり、作業が煩雑であるという問題があった。
【０００６】
また、この端子台カバー１０３の裏面には、端子台１０２の並びが記されている場合があるが、この端子台１０２の並びを確認するために、その都度、端子台カバー１０３を手にとって確認しなければならず、これがさらに作業を煩雑にしている。
【０００７】
また、この端子台カバー１０３の着脱を容易にするため、外装部材１０１の一部及び端子台カバー１０３を樹脂で構成し、端子台カバー１０３を係止により外装部材１０１に仮止めした状態で、ネジにより固定するガスメータも提案されている（特許文献１）。しかしながら、特許文献１のガスメータも、端子台カバー１０３を完全に外装部材１０１から取り外すため、上記問題は解決していなかった。
【先行技術文献】
【特許文献】
【０００８】
【特許文献１】特開２００７−３１５９５０号公報
【発明の概要】
【発明が解決しようとする課題】
【０００９】
そこで、本発明は、端子台カバーを外装部材に取り付けた状態で端子台への配線工事を行えるようにすることにより、配線工事の作業性向上を図ったガスメータを提供することを課題とする。
【課題を解決するための手段】
【００１０】
上述した課題を解決するための請求項１記載の発明は、流路部材と、外部ラインが接続される端子台と、前記流路部材及び前記端子台を収容し、前記端子台の正面を露出する端子台開口部が設けられた外装部材と、前記外装部材に取り付けられ、前記端子台の正面を覆う端子台カバーと、を備えたガスメータにおいて、前記端子台カバーの一つの縁部又は前記外装部材の前記一つの縁部に対向する部分のうち一方に前記一つの縁部に沿った軸部が設けられ、前記端子台カバーの一つの縁部又は前記外装部材の前記一つの縁部に対向する部分のうち他方に前記軸部に対して回転自在に係止する第１係止部が設けられ、前記端子台カバーの他の縁部及び前記外装部材の前記他の縁部に対向する部分にそれぞれ互いに係止する第２係止部が設けられていることを特徴とするガスメータに存する。
【００１１】
請求項２記載の発明は、前記軸部が前記端子台カバーに設けられていることを特徴とする請求項１に記載のガスメータに存する。
【００１２】
請求項３記載の発明は、前記流路部材が、金属製であり、ガス配管に接続されるガス流入口及びガス流出口が設けられ、前記外装部材が、樹脂製であり、前記ガス流入口及び前記ガス流出口を外部に突出させるための開口部が設けられ、前記端子台カバーが、樹脂製であることを特徴とする請求項１又は２に記載のガスメータに存する。
【発明の効果】
【００１３】
以上説明したように請求項１記載の発明によれば、端子台カバーの一つの縁部又は外装部材の一つの縁部に対向する部分のうち一方に一つの縁部に沿った軸部が設けられ、端子台カバーの一つの縁部又は外装部材の前記一つの縁部に対向する部分のうち他方に軸部に対して回転自在に係止する第１係止部が設けられ、端子台カバーの他の縁部及び外装部材の他の縁部に対向する部分にそれぞれ互いに係止する第２係止部が設けられている。従って、第２係止部の係止を外して、第１係止部を軸部に対して回転させて端子台カバーを開くことにより、端子台を露出させることができる。これにより、第１係止部を軸部に係止させて端子台カバーを外装部材に取り付けた状態で端子台への配線工事が行える。また、端子台カバーの裏側に端子の並びを書いておけば、それを見ながら作業を実施できるようになり、配線工事の作業性向上を図ることができる。
【００１４】
請求項２記載の発明によれば、端子台カバーに不慮な外力がかかった場合、端子台カバーの軸部が第１係止部よりも先に折れやすいため、端子台カバーを交換すればよく外装部材を交換しなくても済む。
【００１５】
請求項３記載の発明によれば、外装部材の開口部から金属製の流路部材のガス流入口及びガス流出口を突出させることにより、外装部材を樹脂製で設けることができる。また、端子台カバーも樹脂製であるので、第１係止部及び第２係止部を設けるのに適している。
【図面の簡単な説明】
【００１６】
【図１】本発明のガスメータの一実施形態を示す斜視図である。
【図２】図１に示すガスメータの分解斜視図である。
【図３】端子台カバーを閉めた状態での図１のＩ−Ｉ線部分断面図である。
【図４】端子台カバーを閉めた状態での図１のＩＩ−ＩＩ船部分断面図である。
【図５】従来のガスメータの一例を示す分解斜視図である。
【発明を実施するための形態】
【００１７】
以下、本発明のガスメータを図１〜図４を参照して説明する。図１及び図２に示すように、ガスメータ１は、ガスが流れる流路部材２と、流路部材２に流れるガスの流量を計測するための流量計測部（図示せず）と、流量計測部を制御するマイコン制御部（図示せず）と、マイコン制御部などの電子機器が搭載された基板３と、これら流路部材２及び基板３などを収容する外装部材４と、外装部材４に取り付けられる端子台カバー５と、を備えている。
【００１８】
流路部材２は、図２に示すように、金属製であり、略Ｕ字状に設けられている。この流路部材２の両端には、上流側のガス配管に接続される円筒状のガス流入口２１と、下流側のガス配管に接続される円筒状のガス流出口２２と、が設けられている。流路部材２は、ガス流入口２１及びガス流出口２２が、左右方向に並べられるように外装部材４内に収容される。
【００１９】
また、図示しない流量計測部は、例えば一対の超音波センサから構成され、図示しないマイコン制御部は、マイクロコンピュータから構成されている。基板３は、上記流路部材２よりも正面側に配置され、その正面に流量積算値を表示する表示器６、復帰ボタン７、外部ラインが接続される端子台８を搭載している。
【００２０】
上記外装部材４は、樹脂製であり、略直方体状に設けられている。この外装部材４の上面には、ガス流入口２１及びガス流出口２２をそれぞれ通す開口部４１が設けられている。上記流路部材２のガス流入口２１及びガス流出口２２は、この開口部４１からそれぞれ外部に突出する。上記外装部材４は、この開口部４１をそれぞれ２分割するように前後方向に２分割された背面ケース４２と、正面ケース４３と、から構成されている。
【００２１】
上記背面ケース４２は、背面を覆う背面壁４２Ａと、この背面壁４２Ａの周縁から正面に向かって突出する周壁４２Ｂと、から構成され、正面が開口された略受皿状に形成されている。上側の周壁４２Ｂの端部には、開口部４１を構成する切欠４１Ａが設けられている。正面ケース４３は、正面を覆う正面壁４３Ａと、この正面壁４３Ａの周縁から背面に向かって突出する周壁４３Ｂと、から構成され、背面が開口された略受皿状に形成されている。上側の周壁４３Ｂの端部には、開口部４１を構成する切欠４１Ｂが設けられている。この背面ケース４２を構成する周壁４２Ｂの外側に正面ケース４３を構成する周壁４３Ｂとを重ねると、開口部４１が設けられた略直方体状の外装部材４となる。
【００２２】
上記正面ケース４３を構成する正面壁４３Ａには、その上側中央に上記表示器６を外部に露出するための表示器開口部４３Ｃと、表示器開口部４３Ｃの左側に復帰ボタン７を外部に露出するための復帰ボタン開口部４３Ｄと、が設けられている。
【００２３】
また、上記正面ケース４３の下端部には、後述する端子台カバー５を嵌め込む凹状のカバー嵌込部４３Ｅが形成されている。このカバー嵌込部４３Ｅの中央には、端子台８及びこの端子台８に接続される外部ラインを収容するための凹状の端子台収容部４３Ｆが形成されている。この端子台収容部４３Ｆの底面中央には上記端子台８を露出するための端子台開口部４３Ｇが設けられている。この端子台収容部４３Ｆの底面下端から立設する立壁４３Ｈには、外部ラインを通すための切欠４３Ｉが複数設けられている。
【００２４】
上記端子台カバー５は、樹脂製であり、正面ケース４３の正面から露出する端子台８の正面を覆う正面壁５１と、正面壁５１の左右側端部から背面に向かって立設する左右壁５２と、正面壁５１の下端部から背面に向かって立設する下壁５３と、から構成されている。上記下壁５３の端部には、外部ラインを通すための切欠５４が複数も受けられている。
【００２５】
上記端子台カバー５の左右方向一端側の縁部（＝一つの縁部）には、図１及び図３に示すように、左右方向一端側の縁部に沿った上下方向に延在する軸部５５が設けられている。正面ケース４３の上記左右方向一端側の縁部に対向する部分には、この軸部５５に対して回転自在に係止する第１係止部としての係止突部４３Ｊが設けられている。係止突部４３Ｊは、正面ケース４３から外側に突出し、軸部５５周りに沿って湾曲した略Ｃの字状に形成されている。この係止突部４３Ｊの先端と正面ケース４３との間には隙間Ｓが設けられ、この隙間Ｓから軸部５５が係止突部４３Ｊ内に挿入されて回転自在に係止される。この隙間Ｓは、軸部５５の径よりも若干小さく設けられていて、係止突部４３Ｊが軸部５５から外れにくくなっている。
【００２６】
また、上記端子台カバー５の左右方向他端側の縁部（＝他の縁部）には、図１及び図４に示すように、正面ケース４３に向かって突出する係止突部５６と、正面ケース４３から離れた側に向かって突出するつまみ部５７と、を備えている。また、正面ケース４３の上記左右方向他端部側の縁部と対向する部分には、係止突部５６が挿入される凹部４３Ｋと、係止突部５６と係止する端子台カバー５に向かって突出する係止突部４３Ｌと、を備えている。端子台カバー５の係止突部５６を正面ケース４３の凹部４３Ｋに挿入すると、第２係止部としての係止突部５６、４３Ｌが互いに係止する。凹部４３Ｋの幅Ｗ１は係止突部５６の厚さＷ２よりも若干大きく設けられていて、つまみ部５７を引っ張ると片手で簡単に係止突部５６の係止が解除できるようになっている。
【００２７】
上述したガスメータ１によれば、端子台カバー５の左右方向一端側の縁部にその縁部に沿った上下方向に延在する軸部５５が設けられ、正面ケース４３の上記左右方向一端部側の縁部に対向する部分に軸部５５に対して回転自在に係止する係止突部４３Ｊが設けられ、端子台カバー５の左右方向他端側の他の縁部及び正面ケース４３の上記他の縁部に対向する部分それぞれ互いに係止する係止突部５６、４３Ｌが設けられている。
【００２８】
従って、つまみ部５７を引っ張って係止突部５６、４３Ｌの係止を外して、係止突部４３Ｊを軸部５５に対して回転させて図１に示すように端子台カバー５を開くことにより、端子台８を露出させることができる。これにより、係止突部４３Ｊを軸部５５に係止させて端子台カバー５を外装部材４に取り付けた状態で端子台８への配線工事が行える。また、端子台カバー５の裏側に端子の並びを書いておけば、それを見ながら作業を実施できるようになり、配線工事の作業性向上を図ることができる。
【００２９】
ところで、本実施形態では、外装部材４及び端子台カバー５の双方とも樹脂により形成している。このように樹脂部品同士を軸部５５と係止突部４３Ｊとで係止させる構造は、外力に弱いという欠点がある。例えば、端子台カバー５を図１に示すように横開きにして、配線工事を行っているとき、作業者の不注意でこの端子台カバー５にぶつかってしまった場合、樹脂部品は容易に破壊してしまうため、端子台カバー５が閉まらなくなってしまう場合が想定される。
【００３０】
そこで、このようなアクシデントがあった場合でも、交換不可能な正面ケース４３ではなく、交換可能な端子台カバー５側に係止突起４３Ｊよりも折れやすい軸部５５を設け、不慮な外力がかかった場合は、必ずこの端子台カバー５側の軸部５５が折れるようにした。そして、端子台カバー５を補給パーツとして供給可能とし、もし破壊してしまった場合は、いつでも交換可能な管理体制をとった。これにより、ガスメータ１の端子台カバー５が閉められなくなるという不具合を解決することができた。
【００３１】
また、上述した実施形態によれば、外装部材４の開口部４１から金属製の流路部材２のガス流入口２１及びガス流出口２２を突出させることにより、外装部材４を樹脂製で設けることができる。また、端子台カバー５も樹脂製であるので、係止突部４３Ｊ及び係止突部５６、４３Ｌを設けるのに適している。
【００３２】
なお、上述した実施形態によれば、上述したように端子台カバー５が閉められなくなるという不具合を防止するために端子台カバー５に軸部５５を設けていたが、本発明はこれに限ったものではない。外装部材４や端子台カバー５が強度の高い部材から構成されていれば、正面ケース４３側に軸部５５を設けるようにしてもよい。
【００３３】
また、上述した実施形態によれば、端子台カバー５の左右方向両端側に軸部５５や係止突部５６を設けて、左右開きにしていたが、本発明はこれに限ったものではない。例えば、端子台カバー５の上下方向一方に左右方向に沿った軸部５５を設け、上下方向他端に係止突部５６を設け、上下開きにしてもよい。また、この場合も軸部５５については正面ケース４３に設けることもできる。
【００３４】
また、上述した実施形態によれば、端子台カバー５の左右方向他端に係止突部４３Ｌを設けていたが、本発明はこれに限ったものではない。係止突起４３Ｌとしては、軸部５５が設けられた縁部以外の他の縁部に設けられていればよく、例えば端子台カバー５の上端側や下端側の縁部に設けてもよい。
【００３５】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３６】
１  ガスメータ
２  流路部材
４  外装部材
５  端子台カバー
８  端子台
２１  ガス流入口
２２  ガス流出口
５５  軸部
４１  開口部
４３Ｇ  端子台開口部
４３Ｊ  係止突部（第１係止部）
４３Ｌ  係止突部（第２係止部）
５６  係止突部（第２係止部）
【図１】
2014037968.tif 000003
【図２】
2014037968.tif 000004
【図３】
2014037968.tif 000005
【図４】
2014037968.tif 000006
【図５】
2014037968.tif 000007